【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で上端側が座部の周端部に沿う外形を有するとともに、わん曲面形または多面形に形成されており、
支持部は、腰当て部の下端近くから座部の周端部近くまでわん曲面形または多面形に延設された芯体を含み、該芯体の上端縁は座部の周端部に沿って形成されており、座部に加わった荷重が芯体の上端部から下端部を通して使用者の腰または腹部に伝達されるようにしたこと、
を特徴とする乳幼児保持具。
【請求項２】
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で上端側が座部の周端部に沿う外形を有するとともに、わん曲面形または多面形に形成されており、
支持部は、腰当て部の下端近くから座部の周端部近くまでわん曲面形または多面形に延設された芯体を含み、該芯体の上端縁は座部の周端部に沿って形成されており、座部に加わった荷重が芯体の上端縁から下端縁を通して使用者の腰または腹部に伝達されるようにしたこと、
を特徴とする乳幼児保持具。
【請求項３】
座部の周端部を支持部の上端部に留める留め具を備えたこと、
を特徴とする請求項１または２記載の乳幼児保持具。
【請求項４】
留め具はスライドファスナーとしたこと、
を特徴とする請求項３記載の乳幼児保持具。
【請求項５】
留め具は、座部の周端部に沿って複数配設されたボタン型留め具としたこと、
を特徴とする請求項３記載の乳幼児保持具。
【請求項６】
座部の周端部下側に係止受け部を設け、
支持部の上端部を係止受け部に係脱自在に係合可能としたこと、
を特徴とする請求項１または２記載の乳幼児保持具。
【請求項７】
座部の周端部を支持部の上端部に留める留め具を備えたこと、
を特徴とする請求項６記載の乳幼児保持具。
【請求項８】
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で腰当て部の左右側端部の内の一方の側端部、座部の周端部、腰当部の左右側端部の内の他方の側端部に沿う外形端部を有し、わん曲面形または多面形に形成されており、
支持部は、腰当て部の下端近くから座部の周端部近くまでわん曲面形または多面形に延設された芯体を備え、該芯体の上端縁は座部の周端部に沿って形成されており、座部に加わった荷重が芯体の上端部から下端部を通して使用者の腰または腹部に伝達されるようにしたこと、
を特徴とする乳幼児保持具。
【請求項９】
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で腰当て部の左右側端部の内の一方の側端部、座部の周端部、腰当部の左右側端部の内の他方の側端部に沿う外形端部を有し、わん曲面形または多面形に形成されており、
支持部は、腰当て部の下端近くから座部の周端部近くまでわん曲面形または多面形に延設された芯体を備え、該芯体の上端縁は座部の周端部に沿って形成されており、座部に加わった荷重が芯体の上端縁から下端縁を通して使用者の腰または腹部に伝達されるようにしたこと、
を特徴とする乳幼児保持具。
【請求項１０】
腰当て部の左右側端部の内の一方の側端部、座部の周端部、腰当て部の左右側端部の内の他方の側端部までを第１の開口端縁とし、腰当て部の下端側を除く支持部の外形端部を第２の開口端縁とし、
第２の開口端縁を第１の開口端縁に留める留め具を設けたこと、
を特徴とする請求項８または９記載の乳幼児保持具。
【請求項１１】
留め具は、両開口端縁に沿って設けられたスライドファスナーとしたこと、
を特徴とする請求項１０記載の乳幼児保持具。
【請求項１２】
留め具は、両開口端縁に沿って複数配設されたボタン型留め具としたこと、
を特徴とする請求項１０記載の乳幼児保持具。
【請求項１３】
座部の周端部下側に係止受け部を設け、
支持部の上端部を係止受け部に係脱自在に係合可能としたこと、
を特徴とする請求項８または９記載の乳幼児保持具。
【請求項１４】
座部の周端部を支持部の上端部に留める留め具を備えたこと、
を特徴とする請求項１３記載の乳幼児保持具。
【請求項１５】
支持部の芯体の上端縁の少なくとも前側の一部は、座部の芯体の周端縁より、内側に位置していること、
を特徴とする請求項１乃至１４の内のいずれか一項記載の乳幼児保持具。
【請求項１６】
支持部の芯体は、下から上に延設されるとともに横に併設されて短冊状または放射状に配設された複数の芯材により形成されていること、
を特徴とする請求項１乃至１５の内のいずれか一項記載の乳幼児保持具。
【請求項１７】
座部と腰当て部の間と、支持部と腰当て部の間を各々折り曲げ自在とし、座部を腰当て部の上に重ね、更に支持部を座部の上に重ねることで折り畳み状態となるようにしたこと、
を特徴とする請求項１乃至１６の内のいずれか一項記載の乳幼児保持具。
【請求項１８】
腰当て部、座部、支持部を折り畳み状態で留める収納用留め具を備えたこと、
を特徴とする請求項１７記載の乳幼児保持具。
【手続補正２】
【補正対象書類名】明細書
【補正対象項目名】０００５
【補正方法】変更
【補正の内容】
【０００５】
本発明の請求項１記載の乳幼児保持具では、
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で上端側が座部の周端部に沿う外形を有するとともに、わん曲面形または多面形に形成されており、
支持部は、腰当て部の下端近くから座部の周端部近くまでわん曲面形または多面形に延設された芯体を含み、該芯体の上端縁は座部の周端部に沿って形成されており、座部に加わった荷重が芯体の上端部から下端部を通して使用者の腰または腹部に伝達されるようにしたこと、
を特徴としている。
本発明の請求項２記載の乳幼児保持具では、
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で上端側が座部の周端部に沿う外形を有するとともに、わん曲面形または多面形に形成されており、
支持部は、腰当て部の下端近くから座部の周端部近くまでわん曲面形または多面形に延設された芯体を含み、該芯体の上端縁は座部の周端部に沿って形成されており、座部に加わった荷重が芯体の上端縁から下端縁を通して使用者の腰または腹部に伝達されるようにしたこと、
を特徴としている。
本発明の請求項３記載の乳幼児保持具では、
座部の周端部を支持部の上端部に留める留め具を備えたこと、
を特徴としている。
本発明の請求項４記載の乳幼児保持具では、
留め具はスライドファスナーとしたこと、
を特徴としている。
本発明の請求項５記載の乳幼児保持具では、
留め具は、座部の周端部に沿って複数配設されたボタン型留め具としたこと、
を特徴としている。
本発明の請求項６記載の乳幼児保持具では、
座部の周端部下側に係止受け部を設け、
支持部の上端部を係止受け部に係脱自在に係合可能としたこと、
を特徴としている。
本発明の請求項７記載の乳幼児保持具では、
座部の周端部を支持部の上端部に留める留め具を備えたこと、
を特徴としている。
本発明の請求項８記載の乳幼児保持具では、
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で腰当て部の左右側端部の内の一方の側端部、座部の周端部、腰当部の左右側端部の内の他方の側端部に沿う外形端部を有し、わん曲面形または多面形に形成されており、
支持部は、腰当て部の下端近くから座部の周端部近くまでわん曲面形または多面形に延設された芯体を備え、該芯体の上端縁は座部の周端部に沿って形成されており、座部に加わった荷重が芯体の上端部から下端部を通して使用者の腰または腹部に伝達されるようにしたこと、
を特徴としている。
本発明の請求項９記載の乳幼児保持具では、
使用者が腰周りまたは胴周りの内、前寄りの一部に沿って上下方向に立てて当てる腰当て部と、
ベルト部に備えられて使用者が腰または胴に着脱自在に装着するベルト部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で腰当て部の左右側端部の内の一方の側端部、座部の周端部、腰当部の左右側端部の内の他方の側端部に沿う外形端縁を有し、わん曲面形または多面形に形成されており、
支持部は、腰当て部の下端近くから座部の周端部近くまでわん曲面形または多面形に延設された芯体を備え、該芯体の上端縁は座部の周端部に沿って形成されており、座部に加わった荷重が芯体の上端縁から下端縁を通して使用者の腰または腹部に伝達されるようにしたこと、
を特徴としている。
本発明の請求項１０記載の乳幼児保持具では、
腰当て部の左右側端部の内の一方の側端部、座部の周端部、腰当て部の左右側端部の内の他方の側端部までを第１の開口端縁とし、腰当て部の下端側を除く支持部の外形端部を第２の開口端縁とし、
第２の開口端縁を第１の開口端縁に留める留め具を設けたこと、
を特徴としている。
本発明の請求項１１記載の乳幼児保持具では、
留め具は、両開口端縁に沿って設けられたスライドファスナーとしたこと、
を特徴としている。
本発明の請求項１２記載の乳幼児保持具では、
留め具は、両開口端縁に沿って複数配設されたボタン型留め具としたこと、
を特徴としている。
本発明の請求項１３記載の乳幼児保持具では、
座部の周端部下側に係止受け部を設け、
支持部の上端部を係止受け部に係脱自在に係合可能としたこと、
を特徴としている。
本発明の請求項１４記載の乳幼児保持具では、
座部の周端部を支持部の上端部に留める留め具を備えたこと、
を特徴としている。
本発明の請求項１５記載の乳幼児保持具では、
支持部の芯体の上端縁の少なくとも前側の一部は、座部の芯体の周端縁より、内側に位置していること、
を特徴としている。
本発明の請求項１６記載の乳幼児保持具では、
支持部の芯体は、下から上に延設されるとともに横に併設されて短冊状または放射状に配設された複数の芯材により形成されていること、
を特徴としている。
本発明の請求項１７記載の乳幼児保持具では、
座部と腰当て部の間と、支持部と腰当て部の間を各々折り曲げ自在とし、座部を腰当て部の上に重ね、更に支持部を座部の上に重ねることで折り畳み状態となるようにしたこと、
を特徴としている。
本発明の請求項１８記載の乳幼児保持具では、
腰当て部、座部、支持部を折り畳み状態で留める収納用留め具を備えたこと、
を特徴としている。